(57)【要約】【課題】宅配物が容易に盗まれる可能性をなくすとともに、宅配業者が宅配物を配達したことを証することができる宅配ボックスを提供する。【解決手段】宅配ボックス本体１と結合した断面コ字状の玄関ドア掛け用フック２を玄関ドア隙間に掛けることによって、玄関ドア上端部から引っ掛けるようにした宅配ボックスである。宅配ボックス本体１は、鍵付き開閉扉３に透明の荷物確認用の小窓４を有し、扉の鍵が施錠されていることと、宅配物が本体に収納されていることを同時に視認できるようになっている。これを宅配業者が写真に撮ることで配達したことを証することができる。【選択図】図１
0003202543.tif 000002
【実用新案登録請求の範囲】
【請求項１】
宅配物を収納する箱の形をした宅配ボックス本体と、宅配ボックス本体の前面に宅配物を出し入れできる鍵付き開閉扉と、宅配ボックス本体と結合した断面コ字状の玄関ドア掛け用フックを有し、玄関ドア隙間に玄関ドア掛け用フックを掛けることによって、宅配ボックス本体を玄関ドア上端部から引っ掛けるようにしたことを特徴とする宅配ボックス。
【請求項２】
上記宅配物を出し入れできる鍵付き開閉扉に透明の荷物確認用の小窓を有し、扉の鍵が施錠されていることと、宅配物が本体に収納されていることを同時に視認できるようになっていることを特徴とする請求項１に記載する宅配ボックス。
【考案の詳細な説明】
【技術分野】
【０００１】  本考案は、玄関ドアに鍵付き宅配ボックスを引っ掛けることによって、住人が不在であっても宅配業者が宅配物を収納して配達を完了させる方法に関するものである。
【背景技術】
【０００２】  宅配業者が宅配物の配達に来た際に、住人が不在の場合は、宅配業者は再配達をする必要があり再度の配達の手間がかかる。一方、住人は不在時には荷物を受け取ることが出来ず、再配達の依頼を行い、在宅して再配達を待つ必要が生じる。【０００３】  この問題を解決するための宅配ボックスの類として、取り付け金具でドアの最上端に固定され、軸で連結された上方と背面が開放した外箱によって、留守宅であっても宅配小荷物を受け取ることのできる宅配小荷物無人受け取り装置が提案されている（例えば、特許文献１参照）。
【先行技術文献】
【特許文献】
【０００４】
【特許文献１】  特開平１１−１８９１４号公報
【考案の概要】
【考案が解決しようとする課題】
【０００５】  しかしながら、上記特許文献１に記載の宅配小荷物無人受け取り装置は、上方が開放されている為に、盗難の可能性があり、宅配業者が紛失を恐れて利用することが少ないという問題点があった。【０００６】  そこで、本考案は、宅配物が容易に盗まれる可能性をなくすとともに、宅配業者が宅配物を配達したことを証することができる宅配ボックスを提供することを目的とする。
【課題を解決するための手段】
【０００７】  上記課題を解決するため、本考案の請求項１に係る宅配ボックスは、宅配物を収納する宅配ボックス本体と、宅配ボックス本体の前面に宅配物を出し入れできる鍵付き開閉扉と、宅配ボックス本体と結合した断面コ字状の玄関ドア掛け用フックを有し、玄関ドア隙間に玄関ドア掛け用フックを掛けることによって、宅配ボックス本体を玄関ドア上端部から引っ掛けるようにした宅配ボックスである。【０００８】  また、本考案の請求項２に係る宅配ボックスは、上記宅配物を出し入れできる鍵付き開閉扉に透明の荷物確認用の小窓を有し、扉の鍵が施錠されていることと、宅配物が本体に収納されていることを同時に視認できるようになっている。
【考案の効果】
【０００９】  上記宅配ボックスによると、玄関ドア掛け用フックがあることで常時宅配ボックスを玄関ドアに掛けておくことができる。【００１０】  また、鍵付き開閉扉は宅配物が収納されるまでは空いた状態である。宅配業者は宅配物を収納した後に鍵付き開閉扉の鍵を施錠し、鍵を保有している住人以外が宅配物を取り出すことが出来ないようになることで宅配物を安全に収納することができる。【００１１】  また、扉の鍵が施錠されていることと、宅配物が本体に収納されていることを同時に視認できる小窓を有していることにより、宅配業者が上記の状態を写真に撮ることによって宅配物を配達したことを証することを可能とする。これによって、住人は不在であっても宅配物を受け取ることができ、宅配業者は再配達をする必要がなくなる。
【図面の簡単な説明】
【００１２】
【図１】  実施例１に係る宅配ボックスの正面を左斜め上方から見た斜視図である。
【図２】  同宅配ボックスの背面を左斜め上方から見た斜視図である。
【図３】  同宅配ボックスの外観（正面図・側面図）である。
【図４】  同宅配ボックスの外観（背面図）である。
【図５】  実施例２に係る宅配ボックスの正面を左斜め上方から見た斜視図である。
【考案を実施するための形態】
【実施例１】
【００１３】  以下、本考案の実施例１に係る宅配ボックスについて図面に基づき説明する。
この宅配ボックスは、概略的に説明すると、図１に示すように、宅配ボックス本体１に鍵付き開閉扉３を備え、且つ、宅配ボックス本体１と結合した断面コ字状の玄関ドア掛け用フック２を有し、玄関ドア隙間に玄関ドア掛け用フック２を掛けることによって、宅配ボックス本体１を玄関ドア上端部から引っ掛けるようにしたものである。【００１４】  図１に示すように、上記、宅配ボックス本体１はボックス状になっており、金属製や木製や合成樹脂製等である。前面には鍵付きの開閉扉を有しており、宅配物の収納や取り出しができる。【００１５】  図１に示すように、宅配ボックス本体１には、宅配ボックス本体１の背面上端部と結合した断面コ字状の玄関ドア掛け用フック２を有しており、このフック２を玄関ドアＡに掛けることで、宅配ボックスを常時玄関ドア上端部から引っ掛けるようにしたものである。この玄関ドア掛け用フックは、玄関ドアの隙間に収まるような厚さである。また、この断面コ字状の玄関ドア掛け用フック２は、盗難防止のために容易に本体から外れないように頑強に本体と溶接やボルト等で結合しているか、一体化している。【００１６】  図２に示すように、宅配ボックス本体１の背面は、玄関ドア開閉時に宅配ボックスが揺れを起こさないように、宅配ボックス本体１と背面接着部８をマグネット、両面テープ、もしくはネジによって宅配ボックス裏面と玄関ドアを固定することが好ましい。【００１７】  図１に示すように、鍵付き開閉扉３には、南京錠６やナンバー錠などで施錠できるような施錠部５がついている。【００１８】  図１に示すように、鍵付き開閉扉３には、宅配ボックス本体１の中に宅配物が収納されているか否かを確認できる小窓４を有する。この小窓４と施錠部５は一見して視認できるような近い位置に配置されるのが望ましい。【００１９】  以下、上記実施例１の宅配ボックスの動作について説明する。
住人は、宅配ボックス本体１が玄関外側にくるように玄関ドアＡに引っ掛ける。その際、鍵付き開閉扉３は施錠されていない状態で、南京錠６は、施錠部５に施錠されていない状態で引っかかっているか、宅配ボックス本体１の中に置かれている。
宅配ボックスを使用する宅配業者は、まず施錠されていない状態の鍵付き開閉扉３を開けて、宅配物を収納する。収納する際には、開閉扉を閉めた時に外の小窓４から視認できるような場所に宅配物を置くようにする。そして、宅配業者は鍵付き開閉扉３を締め、南京錠６を施錠部５に掛けて施錠を行う。施錠を行うことで鍵を持つ住人以外は開閉扉３を開けて宅配物を取り出すことは出来なくなる。そして宅配業者は施錠された状態の南京錠６と小窓４をデジタルカメラ等で撮影して配達を完了した証として配達を完了する。
住人は帰宅したら南京錠６が施錠されていることや小窓４から見える宅配物があることを視認して、保有している鍵で南京錠６を開錠して、宅配ボックス内にある宅配物を受け取る。
【実施例２】
【００２０】  本実施例２に係る宅配ボックスは、上記実施例１に係る宅配ボックスに比べて、鍵付き開閉扉の施錠状態を容易に分かるようにしたものである。
以下、本実施例２に係る宅配ボックスについては、図５に基づき説明するが上記実施例１と異なる鍵付き開閉扉１３に着目して説明するとともに、上記実施例１と同一の構成については、その説明を省略する。【００２１】  図５に示すように鍵付き開閉扉１３には、施錠装置１５が取り付けられている。施錠装置１５を押すもしくはスライド等をすることにより扉に鍵がかかる仕組みになっている。施錠装置１５は施錠された状態を表す「ＬＯＣＫ」もしくは「閉」等の表記がされる仕組みである。開閉扉は、施錠されると鍵を使う以外は開けることが出来ない仕組みである。開閉扉は、鍵穴１６に鍵を挿して回すことで開くようになっている。【００２２】  以下、実施例２の宅配ボックスの動作について説明する。
宅配ボックスを使用する宅配業者は、まず施錠されていない状態の鍵付き開閉扉１３を開けて、宅配物を収納する。収納する際には、開閉扉を閉めた時に外の小窓４から視認できるような場所に宅配物を置くようにする。そして、宅配業者は鍵付き開閉扉１３を締め、施錠装置１５を押すもしくはスライド等をして施錠を行う。施錠を行うことで鍵を持つ住人以外は開閉扉１３を開けて宅配物を取り出すことは出来なくなる。そして宅配業者は施錠された状態の施錠装置１５と小窓４をデジタルカメラ等で撮影して配達を完了した証として配達を完了する。
住人は帰宅したら施錠装置１５の表記や小窓４から見える宅配物があることを視認して、鍵穴１６に保有している鍵を挿して開錠し、宅配ボックス内にある宅配物を受け取る。
【符号の説明】
【００２３】  １  宅配ボックス
２  玄関ドア掛け用フック
３  鍵付き開閉扉
４  小窓
５  施錠部
６  南京錠
８  背面接着部
１３  鍵付き開閉扉
１４  小窓
１５  施錠装置
１６  鍵穴
Ａ  玄関ドア
【図１】
0003202543.tif 000003
【図２】
0003202543.tif 000004
【図３】
0003202543.tif 000005
【図４】
0003202543.tif 000006
【図５】
0003202543.tif 000007